(57)【要約】【課題】消費電力を抑制しつつ、画質の劣化を抑制する。【解決手段】制御装置は、自発光体の点灯量に応じて所定の色を表示する画素が配置され、表示フレーム毎に画像を表示する画像表示パネルに対し、画素に所定の色を表示させるための画素信号値に基づき、１行毎に各画素への出力信号値を算出する制御装置であって、ライン画素群中の各画素に対する画素信号値を合計して、ライン積算値を算出するライン積算部２４と、同じ表示フレームにおいて既に出力信号値を算出した前配列画素群の各画素に対する出力信号値を合計して、フレーム積算値を算出するフレーム積算部２５と、消費電力に対する所定の閾値であるフレーム閾値と、ライン積算値と、フレーム積算値とに基づき、消費電力調整項を算出する消費電力調整項決定部２８と、画素信号値と消費電力調整項とに基づき、出力信号値を算出する出力信号生成部２９と、を有する。【選択図】図７
2017076007.tif 000002
【特許請求の範囲】
【請求項１】
自発光体の点灯量に応じて所定の色を表示する画素が行方向及び列方向に二次元マトリクス状に配置され、表示フレーム毎に画像を表示する画像表示パネルに対し、前記画素に所定の色を表示させるための画素信号値に基づき、前記列方向に沿って１行毎に前記各画素への出力信号値を算出する制御装置であって、
前記行方向に沿った１行に配列する複数の画素であるライン画素群中の各画素に対する前記画素信号値を合計して、ライン積算値を算出するライン積算部と、
複数の画素であって、前記ライン画素群以外の行に配列され、同じ表示フレームにおいて既に前記出力信号値を算出した画素の集合体である前配列画素群の、各画素に対する前記出力信号値を合計して、フレーム積算値を算出するフレーム積算部と、
前記表示フレームにおける消費電力に対する所定の閾値であるフレーム閾値と、前記ライン積算値と、前記フレーム積算値と、に基づき、前記ライン画素群中の各画素に共通する消費電力調整項を算出する消費電力調整項決定部と、
前記ライン画素群中の自身の画素への画素信号値と、前記消費電力調整項とに基づき、前記ライン画素群の各画素に対する出力信号値を算出する出力信号生成部と、を有する、制御装置。
【請求項２】
前記消費電力調整項決定部は、前記消費電力調整項を算出するための中間消費電力調整項を算出する中間消費電力調整項算出部を有し、
前記中間消費電力調整項算出部は、前記フレーム閾値から前記フレーム積算値を差し引いた差分値を算出し、前記ライン積算値と前記中間消費電力調整項との積の値が、前記差分値を超えないように、前記中間消費電力調整項を算出する、請求項１に記載の制御装置。
【請求項３】
前記中間消費電力調整項算出部は、前記ライン画素群と前記前配列画素群との前記列方向に沿った行数の合計を算出し、前記ライン積算値と前記中間消費電力調整項との積の値が、前記差分値を前記行数の合計で割った値を超えないように、前記中間消費電力調整項を算出する、請求項２に記載の制御装置。
【請求項４】
前記消費電力調整項決定部は、直前に出力信号値を算出したライン画素群における消費電力調整項である直前消費電力調整項と、前記中間消費電力調整項とを比較することにより、前記消費電力調整項を算出する消費電力調整項算出部を有する、請求項３に記載の制御装置。
【請求項５】
前記消費電力調整項算出部は、前記中間消費電力調整項が前記直前消費電力調整項よりも小さい場合、前記直前消費電力調整項から所定の値を差し引いた値を、前記消費電力調整項とする、請求項４に記載の制御装置。
【請求項６】
前記所定の値は、前記表示フレームにおける全画素の前記列方向に沿った行数の合計に基づき設定される、請求項５に記載の制御装置。
【請求項７】
前記消費電力調整項算出部は、前記中間消費電力調整項が前記直前消費電力調整項以上の値である場合、前記消費電力調整項を、前記直前消費電力調整項と同じ値にする、請求項４から請求項６のいずれか１項に記載の制御装置。
【請求項８】
前記出力信号生成部は、前記ライン画素群中の自身の画素への画素信号値と、前記消費電力調整項との積の値に基づき、前記ライン画素群の各画素に対する出力信号値を算出する、請求項１から請求項７のいずれか１項に記載の制御装置。
【請求項９】
前記画素は、第１の色を表示する第１副画素と、第２の色を表示する第２副画素と、第３の色を表示する第３副画素と、第４の色を表示する第４副画素と、を有しており、
さらに、前記第１副画素、前記第２副画素、及び前記第３副画素の入力信号値に基づいて、前記第１副画素の画素信号値、前記第２副画素の画素信号値、前記第３副画素の画素信号値、前記第４副画素の画素信号値を算出する画素信号算出部を有し、
前記画素信号算出部は、
各画素の前記第４副画素の画素信号値を、前記第１副画素の入力信号値、前記第２副画素の入力信号値、及び前記第３副画素の入力信号値に基づいて求め、
各画素の前記第１副画素の画素信号値を、前記第１副画素の入力信号値、及び前記第４副画素の画素信号値に基づいて求め、
各画素の前記第２副画素の画素信号値を、前記第２副画素の入力信号値、及び前記第４副画素の画素信号値に基づいて求め、
各画素の前記第３副画素の画素信号値を、前記第３副画素の入力信号値、及び前記第４副画素の画素信号値に基づいて求める、請求項１から請求項８のいずれか１項に記載の制御装置。
【請求項１０】
自発光体の点灯量に応じて所定の色を表示する画素が行方向及び列方向に二次元マトリクス状に配置され、表示フレーム毎に画像を表示する画像表示パネルと、
前記画素に所定の色を表示させるための画素信号値に基づき、前記列方向に沿って１行毎に前記各画素への出力信号値を算出する制御部と、を有し、
前記制御部は、
前記行方向に沿った１行に配列する複数の画素であるライン画素群中の各画素に対する前記画素信号値を合計して、ライン積算値を算出するライン積算部と、
複数の画素であって、前記ライン画素群以外の行に配列され、同じ表示フレームにおいて既に前記出力信号値を算出した画素の集合体である前配列画素群の、各画素に対する前記出力信号値を合計して、フレーム積算値を算出するフレーム積算部と、
前記表示フレームにおける消費電力に対する所定の閾値であるフレーム閾値と、前記ライン積算値と、前記フレーム積算値と、に基づき、前記ライン画素群中の各画素に共通する消費電力調整項を算出する消費電力調整項決定部と、
前記ライン画素群中の自身の画素への画素信号値と、前記消費電力調整項とに基づき、前記ライン画素群の各画素に対する出力信号値を算出する出力信号生成部と、を有する、表示装置。
【発明の詳細な説明】
【技術分野】
【０００１】
本開示は、制御装置及び表示装置に関する。
【背景技術】
【０００２】
近年、携帯電話及び電子ペーパー等のモバイル電子機器向け等の表示装置の需要が高くなっている。表示装置では、１つの画素が複数の副画素を備え、当該複数の副画素がそれぞれ異なる色の光を出力し、当該副画素の表示のオン及びオフを切り換えることで、１つの画素で種々の色を表示させている。このような表示装置は、解像度及び輝度といった表示特性が年々向上してきている一方、消費電力の削減についても求められてきている。
【０００３】
このような表示装置としては、例えば特許文献１に示すように、有機発光ダイオード（ＯＬＥＤ）のような自発光体を点灯する自発光型の表示パネルを用いたものがある。一般に、ＯＬＥＤ等を用いる自発光型の表示装置においては、表示画面の輝度が高いほど消費電力が増加する。このため、自発光型の表示装置は、消費電力を抑制するために、輝度を制御する回路を備える場合がある。この回路は、前フレームでの輝度値に基づき現フレームの輝度を制御する場合がある。
【先行技術文献】
【特許文献】
【０００４】
【特許文献１】特開２０１１−２５２０号公報
【発明の概要】
【発明が解決しようとする課題】
【０００５】
しかし、前フレームでの輝度値に基づき現フレームの輝度を制御すると、例えばフレーム間で輝度が大きく異なるなど、フレーム間で画像に大きな差異がある場合、適切に現フレームの輝度を調整することができず、消費電力の抑制を適切に行うことができなかったり、画質が劣化したりするおそれがある。
【０００６】
本発明は、上記課題を解決するために、消費電力を抑制しつつ、画質の劣化を抑制する制御装置及び表示装置を提供することを目的とする。
【課題を解決するための手段】
【０００７】
本開示の制御装置は、自発光体の点灯量に応じて所定の色を表示する画素が行方向及び列方向に二次元マトリクス状に配置され、表示フレーム毎に画像を表示する画像表示パネルに対し、前記画素に所定の色を表示させるための画素信号値に基づき、前記列方向に沿って１行毎に前記各画素への出力信号値を算出する制御装置であって、前記行方向に沿った１行に配列する複数の画素であるライン画素群中の各画素に対する前記画素信号値を合計して、ライン積算値を算出するライン積算部と、複数の画素であって、前記ライン画素群以外の行に配列され、同じ表示フレームにおいて既に前記出力信号値を算出した画素の集合体である前配列画素群の、各画素に対する前記出力信号値を合計して、フレーム積算値を算出するフレーム積算部と、前記表示フレームにおける消費電力に対する所定の閾値であるフレーム閾値と、前記ライン積算値と、前記フレーム積算値と、に基づき、前記ライン画素群中の各画素に共通する消費電力調整項を算出する消費電力調整項決定部と、前記ライン画素群中の自身の画素への画素信号値と、前記消費電力調整項とに基づき、前記ライン画素群の各画素に対する出力信号値を算出する出力信号生成部と、を有する。
【０００８】
本開示の表示装置は、自発光体の点灯量に応じて所定の色を表示する画素が行方向及び列方向に二次元マトリクス状に配置され、表示フレーム毎に画像を表示する画像表示パネルと、前記画素に所定の色を表示させるための画素信号値に基づき、前記列方向に沿って１行毎に前記各画素への出力信号値を算出する制御部と、を有し、前記制御部は、前記行方向に沿った１行に配列する複数の画素であるライン画素群中の各画素に対する前記画素信号値を合計して、ライン積算値を算出するライン積算部と、複数の画素であって、前記ライン画素群以外の行に配列され、同じ表示フレームにおいて既に前記出力信号値を算出した画素の集合体である前配列画素群の、各画素に対する前記出力信号値を合計して、フレーム積算値を算出するフレーム積算部と、前記表示フレームにおける全画素の出力信号値の合計値に対する所定の閾値であるフレーム閾値と、前記ライン積算値と、前記フレーム積算値と、に基づき、前記ライン画素群中の各画素に共通する消費電力調整項を算出する消費電力調整項決定部と、前記ライン画素群中の自身の画素への画素信号値と、前記消費電力調整項とに基づき、前記ライン画素群の各画素に対する出力信号値を算出する出力信号生成部と、を有する。
【図面の簡単な説明】
【０００９】
【図１】図１は、第１実施形態に係る表示装置の構成の一例を示すブロック図である。
【図２】図２は、第１実施形態に係る画像表示パネルの画素配列を示す図である。
【図３】図３は、第１実施形態に係る画像表示パネルの画素が含む副画素の点灯駆動回路を示す図である。
【図４】図４は、第１実施形態に係る画像表示パネルの副画素の配列を示す図である。
【図５】図５は、第１実施形態に係る画像表示パネルの断面構造を示す図である。
【図６】図６は、第１実施形態に係る画像表示パネルの副画素の他の配列を示す図である。
【図７】図７は、第１実施形態に係る制御部の構成を示すブロック図である。
【図８】図８は、第１実施形態の表示装置で再現可能な再現ＨＳＶ色空間の概念図である。
【図９】図９は、再現ＨＳＶ色空間の色相と彩度との関係を示す概念図である。
【図１０】図１０は、本実施形態における彩度と伸長係数との関係を示すグラフである。
【図１１】図１１は、第１実施形態に係る制御部の処理フローを説明するためのフローチャートである。
【図１２】図１２は、消費電力調整項の算出フローを説明するフローチャートである。
【図１３】図１３は、画素行毎のライン合計出力信号値を示すグラフである。
【図１４】図１４は、画素行毎のフレーム積算値を示すグラフである。
【図１５】図１５は、比較例に係る画像の表示の一例を示している。
【図１６】図１６は、第１実施形態に係る画像の表示の一例を示している。
【図１７】図１７は、第２実施形態に係る画素の副画素配列を示す図である。
【図１８】図１８は、第１実施形態に係る表示装置を適用する電子機器の一例を示す図である。
【図１９】図１９は、第１実施形態に係る表示装置を適用する電子機器の一例を示す図である。
【発明を実施するための形態】
【００１０】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（第１実施形態）
図１は、第１実施形態に係る表示装置の構成の一例を示すブロック図である。図１に示すように、第１実施形態の表示装置１０は、制御部２０と、画像表示パネル駆動部３０と、画像表示パネル４０とを有する。制御部２０は、入力信号出力部１００からの入力信号が入力され、入力信号に所定のデータ処理を加えて生成した信号を表示装置１０の各部に送る。画像表示パネル駆動部３０は、制御部２０からの信号に基づいて画像表示パネル４０の駆動を制御する。画像表示パネル４０は、画像表示パネル駆動部３０からの信号に基づいて画素の自発光体を点灯させて画像を表示する、自発光型の画像表示パネルである。なお、表示装置１０と入力信号出力部１００とは、第１実施形態に係る電子機器１を構成する。
【００１２】
（画像表示パネルの構成）
最初に、画像表示パネル４０の構成について説明する。図２は、第１実施形態に係る画像表示パネルの画素配列を示す図である。図３は、第１実施形態に係る画像表示パネルの画素が含む副画素の点灯駆動回路を示す図である。図４は、第１実施形態に係る画像表示パネルの副画素の配列を示す図である。図５は、第１実施形態に係る画像表示パネルの断面構造を示す図である。画像表示パネル４０は、表示部４１において、画素４８が行方向及び列方向に二次元マトリクス状に配置されており、表示フレーム毎に画像を表示する。図２に示すように、画像表示パネル４０は、表示部４１において、画素４８が、Ｐ０×Ｑ０個（Ｘ方向にＰ０個、Ｙ方向にＱ０個）、２次元のマトリクス状（行列状）に配列されている。本実施形態において、Ｘ方向は行方向であり、Ｙ方向は列方向である。
【００１３】
ここで、Ｘ方向にｐ番目（ただし、１≦ｐ≦Ｐ０）、Ｙ方向にｑ番目（ただし、１≦ｑ≦Ｑ０）の画素４８を画素４８（ｐ，ｑ）とする。画像表示パネル４０は、表示部４１において、Ｘ方向に沿って配列したＰ０個の画素４８からなる画素行が、Ｙ方向に沿って合計Ｑ０行配列している。図２の例では、画素４８（１、１）から画素４８（Ｐ０、１）の画素からなる画素行が、１行目に配列し、画素４８（１、ｑ）から画素４８（Ｐ０、ｑ）の画素からなる画素行が、ｑ行目に配列し、画素４８（１、Ｑ０）から画素４８（Ｐ０、Ｑ０）の画素からなる画素列がＱ０行目に配列している。
【００１４】
詳しくは後述するが、制御部２０は、１行目の画素行からＹ方向に沿って画素行毎に、各画素４８への出力信号値を算出する。以下、これから出力信号値を算出する画素行を、ライン画素群４６とする。また、このライン画素群４６と同じ表示フレームで既に前記出力信号値を算出した全ての画素行であって、ライン画素群４６以外の画素行を、前配列画素群４７とする。言い換えれば、前配列画素群４７は、複数の画素４８であって、ライン画素群４６以外の行に配列され、同じ表示フレームにおいて既に出力信号値を算出した画素４８の集合体であるということができる。制御部２０は、１行目の画素行から順に出力信号値を算出するため、前配列画素群４７は、ライン画素群４６よりも前行の全ての画素行であるということができる。
【００１５】
画素４８は、複数の副画素４９を含み、図３に示す副画素４９の点灯駆動回路が２次元のマトリクス状（行列状）に配列されている。図３に示すように、点灯駆動回路は、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードＥ１のアノードに接続されている。有機発光ダイオードＥ１のカソードは、例えば基準電位（例えばアース）に接続されている。なお図３では制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００１６】
画素４８は、図４に示すように、第１副画素４９Ｒと、第２副画素４９Ｇと、第３副画素４９Ｂと、第４副画素４９Ｗとを有する。第１副画素４９Ｒと、第２副画素４９Ｇと、第３副画素４９Ｂと、第４副画素４９Ｗとは、１方向に沿ってストライプ状に配列している。第１副画素４９Ｒは、第１色としての原色の赤色を表示する。第２副画素４９Ｇは、第２色としての原色の緑色を表示する。第３副画素４９Ｂは、第３色としての原色の青色を表示する。第４副画素４９Ｗは、第１色、第２色及び第３色とは異なる第４色としての白色を表示する。ただし、第１色、第２色、第３色、第４色は、それぞれ赤色、緑色、青色、白色に限られず、補色などの任意の色を選択することができる。以下において、第１副画素４９Ｒと、第２副画素４９Ｇと、第３副画素４９Ｂと、第４副画素４９Ｗとをそれぞれ区別する必要がない場合、副画素４９という。
【００１７】
図５に示すように、画像表示パネル４０は、基板５１と、絶縁層５２、５３と、反射層５４と、下部電極５５と、自発光層５６と、上部電極５７と、絶縁層５８と、絶縁層５９と、色変換層としてのカラーフィルタ６１と、遮光層としてのブラックマトリクス６２と、基板５０とを備えている。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第１副画素４９Ｒと、第２副画素４９Ｇと、第３副画素４９Ｂと、第４副画素４９Ｗとにそれぞれ設けられており、上述した有機発光ダイオードＥ１のアノード（陽極）となる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第１副画素４９Ｒと、第２副画素４９Ｇと、第３副画素４９Ｂと、第４副画素４９Ｗとを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層、電子注入層を含む。
【００１８】
（ホール輸送層）
正孔を発生する層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００１９】
（電子注入層、電子輸送層）
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００２０】
（発光層）
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００２１】
上部電極５７は、インジウム錫酸化物（Indium  Tin  Oxide：ＩＴＯ）等の透光性導電材料（透光性導電酸化物）で形成される透光性電極である。なお本実施形態では、透光性導電材料の例としてＩＴＯを挙げたが、これに限定されない。透光性導電材料として、インジウム亜鉛酸化物（Indium  Zinc  Oxide：ＩＺＯ）等の別の組成を有する導電材料を用いてもよい。上部電極５７は、有機発光ダイオードＥ１のカソード（陰極）になる。絶縁層５８は、上述した上部電極５７を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示パネル４０全体を保護する透光性の基板であり、例えば、ガラス基板を用いることができる。なお、図５においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光層の積層順を適宜変えることも可能である。
【００２２】
画像表示パネル４０は、カラー表示パネルであり、自発光層５６の発光成分のうち、副画素４９と画像観察者との間に、副画素４９の色に応じた色の光を通過させるカラーフィルタ６１が配置されている。画像表示パネル４０は、赤色、緑色、青色、及び白色に対応する色の光を発光することができる。なお、白色に対応する第４副画素４９Ｗと画像観察者との間にカラーフィルタ６１が配置されていないようにしてもよい。また、画像表示パネル４０は、自発光層５６の発光成分がカラーフィルタ６１などの色変換層を介さず、第１副画素４９Ｒ、第２副画素４９Ｇ、第３副画素４９Ｂ、第４副画素４９Ｗの各々の色を発光することもできる。例えば画像表示パネル４０は、第４副画素４９Ｗには、色調整用のカラーフィルタ６１の代わりに透明な樹脂層が備えられていてもよい。このように画像表示パネル４０は、透明な樹脂層を設けることで、第４副画素４９Ｗに大きな段差が生じることを抑制することができる。なお、第４副画素４９Ｗとして、白色の副画素でなく、他の輝度の高い色、例えば黄色の副画素を用いてもよい。第４副画素４９Ｗとして黄色の副画素を用いる際には、白色の自発光層５６及び黄色のカラーフィルタ６１を配置してもよいし、自発光層５６として黄色に発光する自発光層を用いてもよい。
【００２３】
図６は、第１実施形態に係る画像表示パネルの副画素の他の配列を示す図である。画像表示パネル４０は、第１副画素４９Ｒ、第２副画素４９Ｇ、第３副画素４９Ｂ及び第４副画素４９Ｗを含む副画素４９を２行２列で組み合わせた画素４８がマトリクス状に配置されている。このように、画像表示パネル４０は、画素４８内の副画素４９の配列を、任意に設定してもよい。
【００２４】
（画像表示パネル駆動部の構成）
図１に示す画像表示パネル駆動部３０は、画像表示パネル４０の制御装置であって、信号出力回路３１、走査回路３２及び電源回路３３を備えている。信号出力回路３１は、信号線ＤＴＬによって画像表示パネル４０と電気的に接続されている。信号出力回路３１は、入力された画像信号を保持し、順次、画像表示パネル４０の各副画素４９に出力する。走査回路３２は、走査線ＳＣＬによって画像表示パネル４０と電気的に接続されている。走査回路３２は、画像表示パネルにおける副画素４９を選択し、副画素４９の動作（発光強度）を制御するためのスイッチング素子（例えば、薄膜トランジスタ（Thin Film Transistor：ＴＦＴ））のオン及びオフを制御し、各画素行を、第１行からＹ方向に沿って順番に選択する。電源回路３３は、電源線ＰＣＬによって各副画素４９の有機発光ダイオードＥ１へ電力を供給する。
【００２５】
（制御部の構成）
次に、制御部２０について説明する。制御部２０は、表示フレーム毎に画像を表示する画像表示パネル４０に対し、画素４８に所定の色を表示させるための画素信号値に基づき、Ｙ方向に沿って１行毎に各画素４８への出力信号値を算出する。制御部２０は、制御装置を構成する。制御部２０は、算出した出力信号値を有する出力信号を、画像表示パネル駆動部３０に出力する。
【００２６】
図７は、第１実施形態に係る制御部の構成を示すブロック図である。図７に示すように、制御部２０は、画素信号値算出部２１と、ラインバッファ部２２と、ライン積算部２４と、フレーム積算部２５と、フレーム閾値取得部２６と、消費電力調整項決定部２８と、出力信号生成部２９と、を有する。画素信号値算出部２１と、ラインバッファ部２２と、ライン積算部２４と、フレーム積算部２５と、フレーム閾値取得部２６と、消費電力調整項決定部２８と、出力信号生成部２９とは、制御部２０に搭載されたソフトウェアであるが、以下説明する機能を発揮するものであれば、ソフトウェアに限られず、それぞれ異なるハードウェア（回路）であってもよい。
【００２７】
画素信号値算出部２１は、赤色（第１色）、緑色（第２色）、青色（第３色）の色を組み合わせて表示させる入力信号の入力信号値を取得する。画素信号値算出部２１は、この入力信号値を、赤色（第１色）、緑色（第２色）、青色（第３色）及び白色（第４色）で再現される拡大色空間（第１実施形態ではＨＳＶ色空間）の再現値（画素信号値）に変換して生成する。画素信号値は、画素に所定の色を表示させるための信号値である。画素信号値算出部２１は、画素４８毎に、さらに詳しくは画素４８が有する副画素４９毎に、画素信号値を算出する。画素信号値算出部２１による画素信号値の算出処理については、後述する。また、拡大色空間についても後述する。なお、第１実施形態において、拡大色空間はＨＳＶ色空間であるが、これに限られずＸＹＺ色空間、ＹＵＶ空間その他の座標系でもよい。
【００２８】
ラインバッファ部２２は、画素信号値算出部２１から、ライン画素群４６における各画素４８に対する画素信号値を順番に取得して、ライン画素群４６における全画素４８の画素信号値を保持（記憶）する。すなわち、ラインバッファ部２２は、これから出力信号値を算出する１画素行分の各画素４８に対する画素信号値を保持する。
【００２９】
ライン積算部２４は、ラインバッファ部２２から、ライン画素群４６における全画素４８に対する画素信号値を取得する。ライン積算部２４は、ライン画素群４６における全画素４８に対する画素信号値を合計して（全て足し合わせて）、ライン積算値を算出する。ライン積算値の詳細な算出方法については、後述する。
【００３０】
フレーム積算部２５は、前配列画素群４７における全画素４８に対する出力信号値を取得する。フレーム積算部２５は、前配列画素群４７における全画素４８に対する出力信号値を合計して（全て足し合わせて）、フレーム積算値を算出する。すなわち、フレーム積算部２５は、ライン画素群４６と同じ表示フレームで既に前記出力信号値を算出した全ての画素であって、これから出力信号値を算出するライン画素群４６以外の画素４８についての出力信号値を合計して、フレーム積算値を算出する。フレーム積算値の詳細な算出方法については、後述する。
【００３１】
フレーム閾値取得部２６は、フレーム閾値の情報を取得する。フレーム閾値は、１つの表示フレームにおける消費電力に対する所定の閾値である。より詳しくは、フレーム閾値は、１表示フレーム中の各画素４８を点灯させることによって生じる消費電力の上限値である。画素４８は自発光体であるため、画素４８に対する出力信号値は、画素４８の点灯による消費電力量と比例する。従って、１つの表示フレームにおける消費電力に対する所定の閾値は、１つの表示フレームにおける全画素４８の出力信号値の合計値に対する所定の閾値であるということもできる。本実施形態におけるフレーム閾値は、表示フレームにおける全画素の出力信号値の合計値に対する上限値である。ただし、フレーム閾値は、１つの表示フレームにおける消費電力に対する上限値であってもよい。
【００３２】
フレーム閾値取得部２６は、操作者により設定されたフレーム閾値の情報を取得してもよいし、予め定められたフレーム閾値の情報を取得するものであるが、フレーム閾値は、操作者により変更されてもよい。例えば、消費電力を抑制したい場合に、操作者が表示装置１０の表示モードを省電力モードに変更すると、フレーム閾値が小さくなるものであってもよい。
【００３３】
消費電力調整項決定部２８は、フレーム閾値とライン積算値とフレーム積算値とに基づき、ライン画素群４６中の各画素に共通する消費電力調整項を算出する。消費電力調整項は、画素４８の画素信号値を調整することによって画素４８の消費電力量を調整する係数である。図７に示すように、消費電力調整項決定部２８は、中間消費電力調整項算出部７０と、消費電力調整項算出部７２とを有する。
【００３４】
中間消費電力調整項算出部７０は、フレーム閾値とフレーム積算値とライン積算値とに基づき、中間消費電力調整項を算出する。中間消費電力調整項は、消費電力調整項を算出するための値である。中間消費電力調整項の算出方法の詳細については、後述する。
【００３５】
消費電力調整項算出部７２は、中間消費電力調整項算出部７０から中間消費電力調整項を取得する。また、消費電力調整項算出部７２は、直前に出力信号値を算出した画素行における消費電力調整項である直前消費電力調整項を取得する。消費電力調整項算出部７２は、直前消費電力調整項と中間消費電力調整項とを比較することにより、消費電力調整項を算出する。消費電力調整項の算出方法については、後述する。
【００３６】
出力信号生成部２９は、消費電力調整項算出部７２から消費電力調整項を取得し、画素信号値算出部２１から、ライン画素群４６中の各画素４８の画素信号値を取得する。出力信号生成部２９は、ライン画素群４６中の自身の画素４８への画素信号値と、消費電力調整項とに基づき、ライン画素群４６の画素４８に対する出力信号値を算出する。出力信号生成部２９は、算出した出力信号値を有する出力信号を、画像表示パネル駆動部３０に出力する。出力信号生成部２９は、算出した出力信号値を、フレーム積算部２５にも出力する。フレーム積算部２５は、出力信号生成部２９から取得した出力信号値を保持する。フレーム積算部２５は、出力信号値を算出するライン画素群４６が次の画素行に切り替わるごとに、出力信号生成部２９から取得した出力信号値に基づき、フレーム積算値を更新する。
【００３７】
（制御部の処理）
（画素信号値の算出処理）
以下、制御部２０の各処理について説明する。最初に、画素信号値算出部２１による画素信号値の算出処理について説明する。以下、第（ｐ、ｑ）番目の画素４８（ｐ，ｑ）における第１副画素４９Ｒへの入力信号値を、入力信号値ｘ１−（ｐ、ｑ）とし、画素４８（ｐ，ｑ）の第２副画素４９Ｇへの入力信号値を、入力信号値ｘ２−（ｐ、ｑ）とし、画素４８（ｐ，ｑ）の第３副画素４９Ｂへの入力信号値を、入力信号値ｘ３−（ｐ、ｑ）とする。画素信号値算出部２１は、入力信号値ｘ１−（ｐ、ｑ）、入力信号値ｘ２−（ｐ、ｑ）及び入力信号値ｘ３−（ｐ、ｑ）に伸長処理を実行することにより、第１副画素４９Ｒ（ｐ，ｑ）の表示階調を決定するための第１副画素の画素信号値Ｘ１−（ｐ、ｑ）、第２副画素４９Ｇ（ｐ，ｑ）の表示階調を決定するための第２副画素の画素信号値Ｘ２−（ｐ、ｑ）、第３副画素４９Ｂ（ｐ，ｑ）の表示階調を決定するための第３副画素の画素信号値Ｘ３−（ｐ、ｑ）、及び、第４副画素４９Ｗ（ｐ，ｑ）の表示階調を決定するための第４副画素の画素信号値Ｘ４−（ｐ、ｑ）を生成する。
【００３８】
図８は、第１実施形態の表示装置で再現可能な再現ＨＳＶ色空間の概念図である。図９は、再現ＨＳＶ色空間の色相と彩度との関係を示す概念図である。表示装置１０は、画素４８に第４色（白色）を出力する第４副画素４９Ｗを備えることで、図８に示すように、再現される色空間（第１実施形態では、ＨＳＶ色空間）における明度のダイナミックレンジが広げられている。つまり、図８に示すように、表示装置１０が再現する拡大色空間は、第１副画素４９Ｒ、第２副画素４９Ｇ及び第３副画素４９Ｂで表示できる円柱形状の色空間の上に、彩度が高くなるほど明度の最大値が低くなる、彩度軸と明度軸とを含む断面における形状が、斜辺が曲線となる略台形形状となる立体が載っている形状となる。第４色（白色）を加えることで拡大された拡大色空間（第１実施形態では、ＨＳＶ色空間）における彩度Ｓを変数とした明度の最大値Ｖmax（Ｓ）が、制御部２０に記憶されている。つまり、画素信号値算出部２１は、図８に示す拡大色空間の立体形状について、彩度と色相の座標（値）毎に明度の最大値Ｖｍａｘ（Ｓ）の値を記憶している。ここで、入力信号データＤ２は、第１副画素４９Ｒ、第２副画素４９Ｇ及び第３副画素４９Ｂの入力信号値で構成されているため、入力信号データＤ２の色空間は、円柱形状、つまり、拡大色空間の円柱形状部分と同じ形状となる。なお、第１実施形態において、拡大色空間はＨＳＶ色空間であるが、これに限られずＸＹＺ色空間、ＹＵＶ空間その他の座標系でもよい。
【００３９】
最初に、画素信号値算出部２１は、各画素４８の入力信号値（入力信号値ｘ１−（ｐ、ｑ）、入力信号値ｘ２−（ｐ、ｑ）及び入力信号値ｘ３−（ｐ、ｑ））に基づき、各画素４８における彩度Ｓ及び明度Ｖ（Ｓ）を求め、各画素４８について、それぞれ伸長係数αを算出する。伸長係数αは、画素４８毎に設定される。
【００４０】
画素信号値算出部２１は、各画素４８に対して、彩度Ｓ及び明度Ｖ（Ｓ）を求める。一般に、第（ｐ，ｑ）番目の画素において、円柱のＨＳＶ色空間における彩度（Saturation）Ｓ（ｐ，ｑ）、明度（Value）Ｖ（Ｓ）（ｐ，ｑ）は、第１副画素の入力信号値ｘ１−（ｐ，ｑ）、第２副画素の入力信号値ｘ２−（ｐ，ｑ）及び第３副画素の入力信号値ｘ３−（ｐ，ｑ）に基づき、次の式（１）及び式（２）より求めることができる。
【００４１】
Ｓ（ｐ，ｑ）＝（Ｍａｘ（ｐ，ｑ）−Ｍｉｎ（ｐ，ｑ））／Ｍａｘ（ｐ，ｑ）・・・（１）
Ｖ（Ｓ）（ｐ，ｑ）＝Ｍａｘ（ｐ，ｑ）・・・（２）
【００４２】
ここで、Ｍａｘ（ｐ，ｑ）は、（ｘ１−（ｐ，ｑ）、ｘ２−（ｐ，ｑ）、ｘ３−（ｐ，ｑ））の３個の副画素４９の入力信号値の最大値であり、Ｍｉｎ（ｐ，ｑ）は、（ｘ１−（ｐ，ｑ）、ｘ２−（ｐ，ｑ）、ｘ３−（ｐ，ｑ））の３個の副画素４９の入力信号値の最小値である。
【００４３】
画素信号値算出部２１は、各画素４８について、それぞれ伸長係数αを算出する。伸長係数αは、画素４８毎に設定される。画素信号値算出部２１は、伸長係数αを、彩度Ｓに応じて値が変化するように算出する。より詳しくは、画素信号値算出部２１は、伸長係数αを、彩度Ｓが大きくなるに従って小さくなるように算出する。図１０は、本実施形態における彩度と伸長係数との関係を示すグラフである。図１０の横軸は、彩度Ｓであり、縦軸は伸長係数αである。画素信号値算出部２１は、図１０の線分α１に示すように、彩度Ｓがゼロである場合に伸長係数αを２とし、彩度Ｓが大きくなるに従って伸長係数αを小さくし、彩度Ｓが１である場合に伸長係数αを１とする。また、図１０の線分α１に示すように、伸長係数αは、彩度が大きくなるに従って、直線的に小さくなる。ただし、画素信号値算出部２１は、線分α１に従って伸長係数αを算出することに限られず、伸長係数αを、入力色の彩度Ｓが大きくなるに従って小さくなるように算出するものであればよい。例えば、画素信号値算出部２１は、図１０の線分α２に示すように、彩度が大きくなるに従って、伸長係数αを二次曲線的に小さくするものであってもよい。また、彩度Ｓがゼロである場合の伸長係数αは、２に限られず、例えば第４副画素４９Ｗの輝度に基づいた設定等により、任意に設定することができる。さらに、画素信号値算出部２１は、伸長係数αを、入力色の彩度によらず一定としてもよい。
【００４４】
次に、画素信号値算出部２１は、第４副画素の画素信号値Ｘ４−（ｐ，ｑ）を、少なくとも第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づいて算出する。より詳しくは、画素信号値算出部２１は、Ｍｉｎ（ｐ，ｑ）と自身の画素４８（ｐ，ｑ）の伸長係数αとの積に基づき第４副画素の画素信号値Ｘ４−（ｐ，ｑ）を求める。具体的には、画素信号値算出部２１は、下記の式（３）に基づいて画素信号値Ｘ４−（ｐ，ｑ）を求めることができる。式（３）では、Ｍｉｎ（ｐ，ｑ）と伸長係数αとの積をχで除しているが、これに限定するものではない。
【００４５】
Ｘ４−（ｐ，ｑ）＝Ｍｉｎ（ｐ，ｑ）・α／χ・・・（３）
【００４６】
ここで、χは表示装置１０に依存した定数である。白色を表示する第４副画素４９Ｗには、カラーフィルタが配置されていない。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも明るい。第１副画素４９Ｒに第１副画素４９Ｒの画素信号値の最大信号値に相当する値を有する信号が入力され、第２副画素４９Ｇに第２副画素４９Ｇの画素信号値の最大信号値に相当する値を有する信号が入力され、第３副画素４９Ｂに第３副画素４９Ｂの画素信号値の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの画素信号値の最大信号値に相当する値を有する信号が入力されたときの第４副画素４９Ｗの輝度をＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置１０に依存した定数としたとき、定数χは、χ＝ＢＮ４／ＢＮ１−３で表される。
【００４７】
具体的には、第１副画素４９Ｒ、第２副画素４９Ｇ及び第３副画素４９Ｂの集合体に、次の表示階調の値を有する入力信号値として、入力信号値ｘ１−（ｐ，ｑ）＝２５５、入力信号値ｘ２−（ｐ，ｑ）＝２５５、入力信号値ｘ３−（ｐ，ｑ）＝２５５が入力されたときにおける白色の輝度ＢＮ１−３に対して、第４副画素４９Ｗに表示階調の値２５５を有する入力信号が入力されたと仮定したときの輝度ＢＮ４は、例えば、１．５倍である。すなわち、第１実施形態にあっては、χ＝１．５である。
【００４８】
次に、画素信号値算出部２１は、少なくとも第１副画素の入力信号値ｘ１−（ｐ，ｑ）及び自身の画素４８（ｐ，ｑ）の伸長係数αに基づいて、第１副画素の画素信号値Ｘ１−（ｐ，ｑ）を算出し、少なくとも第２副画素の入力信号値ｘ２−（ｐ，ｑ）及び自身の画素４８（ｐ，ｑ）の伸長係数αに基づいて第２副画素の画素信号値Ｘ２−（ｐ，ｑ）を算出し、少なくとも第３副画素の入力信号値ｘ３−（ｐ，ｑ）及び自身の画素４８（ｐ，ｑ）の伸長係数αに基づいて第３副画素の画素信号値Ｘ３−（ｐ，ｑ）を算出する。
【００４９】
具体的には、画素信号値算出部２１は、第１副画素の入力信号値、伸長係数α及び第４副画素の画素信号値に基づいて第１副画素の画素信号値を算出し、第２副画素の入力信号値、伸長係数α及び第４副画素の画素信号値に基づいて第２副画素の画素信号値を算出し、第３副画素の入力信号値、伸長係数α及び第４副画素の画素信号値に基づいて第３副画素の画素信号値を算出する。
【００５０】
つまり、画素信号値算出部２１は、χを表示装置に依存した定数としたとき、第（ｐ，ｑ）番目の画素（あるいは、第１副画素４９Ｒ、第２副画素４９Ｇ及び第３副画素４９Ｂの組）への第１副画素の画素信号値Ｘ１−（ｐ，ｑ）、第２副画素の画素信号値Ｘ２−（ｐ，ｑ）及び第３副画素の画素信号値Ｘ３−（ｐ，ｑ）を、以下の式（４），（５），（６）から求める。
【００５１】
Ｘ１−（ｐ，ｑ）＝α・ｘ１−（ｐ，ｑ）−χ・Ｘ４−（ｐ，ｑ）・・・（４）
Ｘ２−（ｐ，ｑ）＝α・ｘ２−（ｐ，ｑ）−χ・Ｘ４−（ｐ，ｑ）・・・（５）
Ｘ３−（ｐ，ｑ）＝α・ｘ３−（ｐ，ｑ）−χ・Ｘ４−（ｐ，ｑ）・・・（６）
【００５２】
次に、信号値Ｘ１−（ｐ，ｑ）、Ｘ２−（ｐ，ｑ）、Ｘ３−（ｐ，ｑ）、Ｘ４−（ｐ，ｑ）の求め方（伸張処理）のまとめを説明する。次の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。さらには、階調−輝度特性（ガンマ特性、γ特性）を保持（維持）するように行われる。また、いずれかの画素４８又は画素４８の群において、入力信号値のすべてがゼロである場合又は小さい場合、このような画素４８又は画素４８の群を含めることなく、伸長係数αを求めればよい。
【００５３】
（第１工程）
まず、画素信号値算出部２１は、各画素４８の入力信号値（入力信号値ｘ１−（ｐ、ｑ）、入力信号値ｘ２−（ｐ、ｑ）及び入力信号値ｘ３−（ｐ、ｑ））に基づき、各画素４８の彩度Ｓ及び明度Ｖ（Ｓ）を求め、画素４８毎に伸長係数αを算出する。
【００５４】
（第２工程）
次に、画素信号値算出部２１は、第（ｐ，ｑ）番目の画素４８における画素信号値Ｘ４−（ｐ，ｑ）を、少なくとも、入力信号値ｘ１−（ｐ，ｑ）、入力信号値ｘ２−（ｐ，ｑ）及び入力信号値ｘ３−（ｐ，ｑ）に基づいて求める。第１実施形態にあっては、画素信号値算出部２１は、画素信号値Ｘ４−（ｐ，ｑ）を、Ｍｉｎ（ｐ，ｑ）、自身の画素４８（ｐ，ｑ）の伸長係数α及び定数χに基づいて決定する。より具体的には、画素信号値算出部２１は、上述したとおり、画素信号値Ｘ４−（ｐ，ｑ）を、上記の式（３）に基づいて求める。
【００５５】
（第３工程）
その後、画素信号値算出部２１は、第（ｐ，ｑ）番目の画素４８における画素信号値Ｘ１−（ｐ，ｑ）を、入力信号値ｘ１−（ｐ，ｑ）、自身の画素４８（ｐ，ｑ）の伸長係数α及び画素信号値Ｘ４−（ｐ，ｑ）に基づき求め、第（ｐ，ｑ）番目の画素４８における画素信号値Ｘ２−（ｐ，ｑ）を、入力信号値ｘ２−（ｐ，ｑ）、自身の画素４８（ｐ，ｑ）の伸長係数α及び画素信号値Ｘ４−（ｐ，ｑ）に基づき求め、第（ｐ，ｑ）番目の画素４８における画素信号値Ｘ３−（ｐ，ｑ）を、入力信号値ｘ３−（ｐ，ｑ）、自身の画素４８（ｐ，ｑ）の伸長係数α及び画素信号値Ｘ４−（ｐ，ｑ）に基づき求める。具体的には、画素信号値算出部２１は、第（ｐ，ｑ）番目の画素４８における画素信号値Ｘ１−（ｐ，ｑ）、画素信号値Ｘ２−（ｐ，ｑ）及び画素信号値Ｘ３−（ｐ，ｑ）を、上記の式（４）から（６）に基づいて求める。
【００５６】
画素信号値算出部２１は、輝度伸長処理を行う場合、以上の工程で出力信号を生成し、生成した出力信号を、画像表示パネル駆動部３０に出力する。画素信号値算出部２１は、以上のように各画素４８における各副画素４９の画素信号値を算出する。
【００５７】
（ライン積算値算出処理）
次に、ライン積算部２４によるライン積算値の算出処理について説明する。以下の説明においては、第ｑ行目の画素行について出力信号値を算出する例を説明する。従って、第ｑ行目の画素行がライン画素群４６となり、ライン画素群４６は、画素４８（１，ｑ）、・・・画素４８（ｐ，ｑ）、・・・画素４８（Ｐ０，ｑ）のＰ０個の画素４８を有する。
【００５８】
ラインバッファ部２２は、これから出力信号値を算出するライン画素群４６における各画素４８に対する画素信号値を、画素信号値算出部２１から順番に取得して、ライン画素群４６における全画素４８の画素信号値を保持（記憶）する。ライン積算部２４は、ラインバッファ部２２から、ライン画素群４６における全画素４８の画素信号値を取得する。ライン積算部２４は、ライン画素群４６における全画素４８に対する画素信号値を合計して（全て足し合わせて）、ライン積算値を算出する。すなわち、ライン積算部２４は、ライン画素群４６中の画素４８における第１副画素４９Ｒの画素信号値、第２副画素４９Ｇの画素信号値、第３副画素４９Ｂの画素信号値、及び第４副画素４９Ｗの画素信号値を、ライン画素群４６の全画素４８分足し合わせて、その値をライン積算値とする。具体的には、第ｑ行目の画素行がライン画素群４６である場合におけるライン積算値をＬ（ｑ）としたとき、ライン積算部２４は、以下の式（７）に基づき、ライン積算値Ｌ（ｑ）を算出する。
【００５９】
【数１】
2017076007.tif 000003
【００６０】
（フレーム積算値算出処理）
次に、フレーム積算部２５によるフレーム積算値の算出処理について説明する。フレーム積算部２５は、前配列画素群４７における全画素４８に対する出力信号値を取得する。フレーム積算部２５は、出力信号生成部２９から、出力信号値を取得する。なお、前配列画素群４７は、これから出力信号値を算出するライン画素群４６と同じ表示フレームにおいて既に出力信号値を算出した全ての画素行であって、ライン画素群４６以外の画素行である。従って、この説明における前配列画素群４７は、第１行から第ｑ−１行の画素行である。
【００６１】
フレーム積算部２５は、前配列画素群４７における全画素４８に対する出力信号値を合計して（全て足し合わせて）、フレーム積算値を算出する。すなわち、フレーム積算部２５は、前配列画素群４７中の画素４８における第１副画素４９Ｒの出力信号値、第２副画素４９Ｇの出力信号値、第３副画素４９Ｂの出力信号値、及び第４副画素４９Ｗの出力信号値を、前配列画素群４７の全画素４８分足し合わせて、その値をフレーム積算値とする。本実施形態においては、フレーム積算部２５は、ライン画素群４６が前行（第ｑ−１行）の画素行であった場合に算出したフレーム積算値（第１行から第ｑ−２行の各画素４８の出力信号値の合計）、第ｑ−１行の画素行中の全画素４８における第１副画素４９Ｒの出力信号値、第２副画素４９Ｇの出力信号値、第３副画素４９Ｂの出力信号値、及び第４副画素４９Ｗの出力信号値を足し合わせて、第ｑ行の画素行がライン画素群４６である場合に使用するフレーム積算値を算出する。具体的には、ライン画素群４６が第ｑ行の画素行である場合に使用するフレーム積算値をＭ（ｑ）とし、ライン画素群４６が前行（第ｑ−１行）の画素行であった場合に算出したフレーム積算値をＭ（ｑ−１）とした場合、フレーム積算部２５は、以下の式（８）に基づき、フレーム積算値Ｍ（ｑ）を算出する。
【００６２】
【数２】
2017076007.tif 000004
【００６３】
（中間消費電力調整項算出処理）
次に、中間消費電力調整項算出部７０による中間消費電力調整項の算出処理について説明する。フレーム閾値をＡとしたとき、中間消費電力調整項算出部７０は、ライン積算値Ｌ（ｑ）とフレーム積算値Ｍ（ｑ）とフレーム閾値Ａとに基づき、ライン画素群４６が第ｑ行の画素行である場合に使用する中間消費電力調整項Ｇ１（ｑ）を算出する。
【００６４】
具体的には、中間消費電力調整項算出部７０は、以下の式（９）のように、フレーム閾値Ａからフレーム積算値Ｍ（ｑ）を差し引いた値である差分値Ｕ（ｑ）を算出する。差分値Ｕ（ｑ）は、ライン画素群４６が消費できる消費電力量（出力信号値の大きさ）の余裕代であるということができる。
【００６５】
Ｕ（ｑ）＝Ａ−Ｍ（ｑ）  ・・・（９）
【００６６】
中間消費電力調整項算出部７０は、ライン積算値Ｌ（ｑ）と中間消費電力調整項Ｇ１（ｑ）との積が、差分値Ｕ（ｑ）（消費電力量の余裕代）を超えないように、中間消費電力調整項Ｇ１（ｑ）を算出する。さらに詳しくは、中間消費電力調整項算出部７０は、ライン画素群４６と前配列画素群４７との行数の合計を算出する。ここでは、ライン画素群４６と前配列画素群４７との行数の合計は、ｑ個である。中間消費電力調整項算出部７０は、ライン積算値Ｌ（ｑ）と中間消費電力調整項Ｇ１（ｑ）との積が、差分値Ｕ（ｑ）を行数の合計（ｑ個）で割った値（１画素行毎の消費電力量の余裕代）を超えないように、中間消費電力調整項Ｇ１（ｑ）を算出する。具体的には、本実施形態において、中間消費電力調整項算出部７０は、以下の式（１０）に基づき、中間消費電力調整項Ｇ１（ｑ）を算出する。
【００６７】
Ｇ１（ｑ）＝Ｕ（ｑ）／（ｑ・Ｌ（ｑ））  ・・・（１０）
【００６８】
さらに、中間消費電力調整項算出部７０は、算出した中間消費電力調整項Ｇ１（ｑ）の値が１より大きい場合、中間消費電力調整項Ｇ１（ｑ）の値を１とする。すなわち、中間消費電力調整項算出部７０は、中間消費電力調整項Ｇ１（ｑ）と画素信号値との積の値が、画素信号値の値を超えないように中間消費電力調整項Ｇ１（ｑ）を設定する。
【００６９】
ただし、中間消費電力調整項算出部７０による中間消費電力調整項Ｇ１（ｑ）の算出方法は、式（１０）に限られない。例えば、中間消費電力調整項算出部７０は、式（１０）における行数の合計（ｑ個）のかわりに、１表示フレームにおける全画素列の合計行数（Ｑ０個）を用いてもよい。中間消費電力調整項Ｇ１（ｑ）は、ライン積算値Ｌ（ｑ）と中間消費電力調整項Ｇ１（ｑ）との積が、差分値Ｕ（ｑ）を超えないように算出されればよい。また、例えばフレーム閾値Ａが消費電力値の閾値であり、ライン積算値Ｌ（ｑ）とフレーム積算値Ｍ（ｑ）とが画素信号値に関する値である場合、出力信号値と消費電力との調整係数を用いて計算を行ってもよい。例えば、中間消費電力調整項算出部７０は、出力信号値と消費電力との調整係数、及びフレーム閾値Ａに基づき、出力信号値に換算された補正フレーム閾値Ａ１を算出し、式（９）でフレーム閾値Ａの代わりに補正フレーム閾値Ａ１を用いてもよい。又は、ライン積算値Ｌ（ｑ）とフレーム積算値Ｍ（ｑ）とに、出力信号値と消費電力との調整係数を適用することにより、ライン積算値Ｌ（ｑ）とフレーム積算値Ｍ（ｑ）とを消費電力に対応する値としてもよい。
【００７０】
（消費電力調整項算出処理）
次に、消費電力調整項算出部７２による消費電力調整項Ｇ２（ｑ）の算出処理について説明する。消費電力調整項算出部７２は、中間消費電力調整項算出部７０から中間消費電力調整項Ｇ１（ｑ）を取得する。また、消費電力調整項算出部７２は、直前に出力信号値を算出した画素行（ここでは第ｑ−１行目の画素行）における消費電力調整項である直前消費電力調整項Ｇ２（ｑ−１）を取得する。消費電力調整項算出部７２は、直前消費電力調整項Ｇ２（ｑ−１）と中間消費電力調整項Ｇ１（ｑ）とを比較することにより、消費電力調整項Ｇ２（ｑ）を算出する。なお、消費電力調整項算出部７２は、第ｑ−１行目の画素行をライン画素群４６としたときに算出した消費電力調整項を直前消費電力調整項として保持しており、第ｑ行目の画素行をライン画素群４６として消費電力調整項を算出する場合に使用する。
【００７１】
消費電力調整項算出部７２は、中間消費電力調整項Ｇ１（ｑ）が直前消費電力調整項Ｇ２（ｑ−１）よりも小さい場合、直前消費電力調整項Ｇ２（ｑ−１）と所定の値Ｂとに基づき、消費電力調整項Ｇ２（ｑ）を算出する。具体的には、消費電力調整項算出部７２は、中間消費電力調整項Ｇ１（ｑ）が直前消費電力調整項Ｇ２（ｑ−１）よりも小さい場合、直前消費電力調整項Ｇ２（ｑ−１）から所定の値Ｂを差し引いた値を、消費電力調整項Ｇ２（ｑ）とする。また、消費電力調整項算出部７２は、中間消費電力調整項Ｇ１（ｑ）が直前消費電力調整項Ｇ２（ｑ−１）以上の値である場合、消費電力調整項Ｇ２（ｑ）を、直前消費電力調整項Ｇ２（ｑ−１）と同じ値にする。
【００７２】
具体的には、消費電力調整項算出部７２は、中間消費電力調整項Ｇ１（ｑ）が直前消費電力調整項Ｇ２（ｑ−１）よりも小さい場合、以下の式（１１）により、消費電力調整項Ｇ２（ｑ）を算出する。また、消費電力調整項算出部７２は、中間消費電力調整項Ｇ１（ｑ）が直前消費電力調整項Ｇ２（ｑ−１）以上の値である場合、以下の式（１２）により、消費電力調整項Ｇ２（ｑ）を算出する。なお、第１行目の画素行は、直前消費電力調整項Ｇ２（ｑ−１）を有さない。消費電力調整項算出部７２は、第１行目の画素行については、中間消費電力調整項Ｇ１（ｑ）を、そのまま消費電力調整項Ｇ２（ｑ）とする。
【００７３】
Ｇ２（ｑ）＝Ｇ２（ｑ−１）−Ｂ  （但し、Ｇ１（ｑ）＜Ｇ２（ｑ−１）のとき）  ・・・（１１）
Ｇ２（ｑ）＝Ｇ２（ｑ−１）  （但し、Ｇ１（ｑ）≧Ｇ２（ｑ−１）のとき）      ・・・（１２）
【００７４】
ここで、所定の値Ｂは、予め定められた正の値である。すなわち、消費電力調整項Ｇ２（ｑ）は、直前消費電力調整項Ｇ２（ｑ−１）よりも大きな値となることはなく、０以上１以下の値をとる。所定の値Ｂは、予め定められた値であるが、操作者により変更されてもよい。
【００７５】
さらに詳しくは、所定の値Ｂは、消費電力調整項Ｇ２（ｑ）が前行の直前消費電力調整項Ｇ２（ｑ−１）よりも小さくなる場合に、その小さくなる量を一定値にするための係数である。所定の値Ｂは、１表示フレームにおける全画素列の合計行数（Ｑ０個）に基づき設定される値である。本実施形態においては、所定の値Ｂは、１表示フレームにおける全画素列の合計行数（Ｑ０個）の逆数に基づき設定される。具体的には、所定の値Ｂは、次の式（１３）のように設定される。
【００７６】
Ｂ＝Ｃ／Ｑ０  ・・・（１３）
【００７７】
式（１３）において、Ｃは、０より大きく１より小さい所定の定数である。
【００７８】
消費電力調整項算出部７２は、以上説明したように、ライン画素群４６中の各画素４８に共通する消費電力調整項Ｇ２（ｑ）を算出する。ただし、消費電力調整項Ｇ２（ｑ）の算出処理は、以上説明したものに限られない。例えば、消費電力調整項算出部７２は、直前消費電力調整項Ｇ２（ｑ−１）から中間消費電力調整項Ｇ１（ｑ）を差し引いた値が所定の値Ｂ以下である場合は、中間消費電力調整項Ｇ１（ｑ）を、そのまま消費電力調整項Ｇ２（ｑ）として、直前消費電力調整項Ｇ２（ｑ−１）から中間消費電力調整項Ｇ１（ｑ）を差し引いた値が所定の値Ｂより大きい場合は、式（１１）に従って消費電力調整項Ｇ２（ｑ）を算出してもよい。
【００７９】
また、例えば、消費電力調整項算出部７２は、直前消費電力調整項Ｇ２（ｑ−１）から中間消費電力調整項Ｇ１（ｑ）を差し引いた値に関わらず、中間消費電力調整項Ｇ１（ｑ）が直前消費電力調整項Ｇ２（ｑ−１）よりも小さい場合には、中間消費電力調整項Ｇ１（ｑ）を、そのまま消費電力調整項Ｇ２（ｑ）としてもよい。
【００８０】
また、例えば、消費電力調整項算出部７２は、中間消費電力調整項Ｇ１（ｑ）と直前消費電力調整項Ｇ２（ｑ−１）との比較を行わず、中間消費電力調整項Ｇ１（ｑ）を、常にそのまま消費電力調整項Ｇ２（ｑ）としてもよい。この場合、中間消費電力調整項Ｇ１（ｑ）が１以下の値であるため、消費電力調整項Ｇ２（ｑ）も１以下の値となる。
【００８１】
また、例えば、消費電力調整項算出部７２は、中間消費電力調整項Ｇ１（ｑ）が直前消費電力調整項Ｇ２（ｑ−１）よりも小さい場合、式（１１）の代わりに、次の式（１４）に基づき、消費電力調整項Ｇ２（ｑ）を算出してもよい。
【００８２】
Ｇ２（ｑ）＝Ｇ２（ｑ−１）−Ｔ・｛Ｇ１（ｑ−１）-Ｇ１（ｑ）｝  （但し、Ｇ１（ｑ）＜Ｇ２（ｑ−１）のとき）  ・・・（１４）
【００８３】
ここで、Ｔは、予め定められた正の値をもつ所定の係数である。
【００８４】
（出力信号値の算出処理）
次に、出力信号生成部２９による出力信号の算出処理について説明する。出力信号生成部２９は、ライン画素群４６中の画素４８（ｐ，ｑ）への画素信号値と、消費電力調整項Ｇ２（ｑ）とに基づき、画素４８（ｐ，ｑ）に対する出力信号値を算出する。
【００８５】
以下、第（ｐ、ｑ）番目の画素４８（ｐ，ｑ）における第１副画素４９Ｒの出力信号値を、出力信号値ＸＡ１−（ｐ、ｑ）とし、画素４８（ｐ，ｑ）の第２副画素４９Ｇへの出力信号値を、出力信号値ＸＡ２−（ｐ、ｑ）とし、画素４８（ｐ，ｑ）の第３副画素４９Ｂへの出力信号値を、出力信号値ＸＡ３−（ｐ、ｑ）とし、画素４８（ｐ，ｑ）の第４副画素４９Ｗへの出力信号値を、出力信号値ＸＡ４−（ｐ、ｑ）とする。出力信号生成部２９は、画素４８（ｐ，ｑ）における第１副画素４９Ｒの画素信号値Ｘ１−（ｐ、ｑ）と、消費電力調整項Ｇ２（ｑ）とに基づき、第１副画素４９Ｒの出力信号値ＸＡ１−（ｐ、ｑ）を算出する。同様に、出力信号生成部２９は、画素４８（ｐ，ｑ）における第２副画素４９Ｇの画素信号値Ｘ２−（ｐ、ｑ）と、消費電力調整項Ｇ２（ｑ）とに基づき、第２副画素４９Ｇの出力信号値ＸＡ２−（ｐ、ｑ）を算出する。同様に、出力信号生成部２９は、画素４８（ｐ，ｑ）における第３副画素４９Ｂの画素信号値Ｘ３−（ｐ、ｑ）と、消費電力調整項Ｇ２（ｑ）とに基づき、第３副画素４９Ｂの出力信号値ＸＡ３−（ｐ、ｑ）を算出する。同様に、出力信号生成部２９は、画素４８（ｐ，ｑ）における第４副画素４９Ｗの画素信号値Ｘ４−（ｐ、ｑ）と、消費電力調整項Ｇ２（ｑ）とに基づき、第４副画素４９Ｗの出力信号値ＸＡ４−（ｐ、ｑ）を算出する。
【００８６】
具体的には、次の式（１５）から式（１８）に示すように、出力信号生成部２９は、画素４８（ｐ，ｑ）の画素信号値と、消費電力調整項Ｇ２（ｑ）との積の値に基づき、画素４８（ｐ，ｑ）に対する出力信号値を算出する。
【００８７】
ＸＡ１−（ｐ、ｑ）＝Ｇ２（ｑ）・Ｘ１−（ｐ、ｑ）  ・・・（１５）
ＸＡ２−（ｐ、ｑ）＝Ｇ２（ｑ）・Ｘ２−（ｐ、ｑ）  ・・・（１６）
ＸＡ３−（ｐ、ｑ）＝Ｇ２（ｑ）・Ｘ３−（ｐ、ｑ）  ・・・（１７）
ＸＡ４−（ｐ、ｑ）＝Ｇ２（ｑ）・Ｘ４−（ｐ、ｑ）  ・・・（１８）
【００８８】
出力信号生成部２９は、以上のように出力信号値を算出し、その出力信号値を有する出力信号を、画像表示パネル駆動部３０に出力する。また、出力信号生成部２９は、算出したライン画素群４６中の全画素４８（第ｑ行目の各画素４８）に対する出力信号値を、フレーム積算部２５に出力する。フレーム積算部２５は、次の行（第ｑ＋１行）の画素行を新たにライン画素群４６として処理を行う際に、第ｑ行目の各画素４８の全ての出力信号値をフレーム積算値Ｍ（ｑ）に加えて、フレーム積算値Ｍ（ｑ＋１）を算出する。なお、出力信号生成部２９は、フレーム積算値Ｍ（ｑ）が、フレーム閾値Ａ以上の値となっている場合は、出力信号値ＸＡ１−（ｐ、ｑ）、ＸＡ２−（ｐ、ｑ）、ＸＡ３−（ｐ、ｑ）、ＸＡ４−（ｐ、ｑ）の値を０にしてもよい。
【００８９】
次に、以上説明した制御部２０の処理のまとめとして、制御部２０の処理フローを、フローチャートに基づき説明する。図１１は、第１実施形態に係る制御部の処理フローを説明するためのフローチャートである。図１１に示すように、制御部２０は、画素信号値算出部２１により、各画素４８の入力信号値に基づき、各画素４８の画素信号値を算出する（ステップＳ１０）。具体的には、画素信号値算出部２１は、画素４８（ｐ，ｑ）における第１副画素４９Ｒの画素信号値Ｘ１−（ｐ，ｑ）、第２副画素４９Ｇの画素信号値Ｘ２−（ｐ，ｑ）、第３副画素４９Ｂの画素信号値Ｘ１−（ｐ，ｑ）、第４副画素４９Ｗの画素信号値Ｘ４−（ｐ，ｑ）を、上述の式（３）から式（６）に基づき算出する。
【００９０】
画素信号値を算出した後、制御部２０は、ライン積算部２４により、ライン積算値Ｌ（ｑ）を算出し（ステップＳ１２）、フレーム積算部２５によりフレーム積算値Ｍ（ｑ）を算出し（ステップＳ１４）、フレーム閾値取得部２６によりフレーム閾値Ａを取得する（ステップＳ１６）。制御部２０は、ライン積算部２４により、上述の式（７）によりライン積算値Ｌ（ｑ）を算出する。制御部２０は、フレーム積算部２５により、上述の式（８）によりライン積算値Ｌ（ｑ）を算出する。なお、ステップＳ１２、Ｓ１４、Ｓ１６の互いの処理順序は、ステップＳ１８より前に行われるものであれば任意である。
【００９１】
フレーム閾値Ａを取得した後、制御部２０は、中間消費電力調整項算出部７０により、中間消費電力調整項Ｇ１（ｑ）を算出する（ステップＳ１８）。中間消費電力調整項算出部７０は、上述の式（１０）に基づき、中間消費電力調整項Ｇ１（ｑ）を算出する。
【００９２】
中間消費電力調整項Ｇ１（ｑ）を算出した後、制御部２０は、消費電力調整項算出部７２により、消費電力調整項Ｇ２（ｑ）を算出する（ステップＳ２０）。消費電力調整項算出部７２は、上述の式（１１）又は式（１２）に基づき、消費電力調整項Ｇ２（ｑ）を算出する。
【００９３】
消費電力調整項Ｇ２（ｑ）を算出した後、制御部２０は、出力信号生成部２９により、出力信号値を算出する（ステップＳ２２）。出力信号生成部２９は、上述の式（１５）から式（１８）に示すように、画素信号値と消費電力調整項Ｇ２（ｑ）との積の値に基づき、出力信号値を算出する。
【００９４】
出力信号値を算出した後、制御部２０は、１表示フレーム分の出力信号値の算出が終了したかを判断する（ステップＳ２４）。制御部２０は、１表示フレーム分の出力信号値の算出が終了していない場合（ステップＳ２４；Ｎｏ）、フレーム積算値を更新し（ステップＳ２５）、その後ステップＳ１０に戻り、次の画素行（ここでは第ｑ＋１行目の画素行）を、新たにライン画素群４６として、第ｑ＋１行目の画素行の各画素４８の出力信号値の算出処理を行う。制御部２０は、１表示フレーム分の出力信号値の算出が終了した場合（ステップＳ２４；Ｙｅｓ）、この算出処理を終了し、また次の表示フレームにおける出力信号値の算出処理を開始する。
【００９５】
以下、ステップＳ２０における消費電力調整項Ｇ２（ｑ）の算出フローについてフローチャートで説明する。図１２は、消費電力調整項の算出フローを説明するフローチャートである。図１２に示すように、消費電力調整項算出部７２は、中間消費電力調整項Ｇ１（ｑ）が直前消費電力調整項Ｇ２（ｑ−１）より小さいかを判断する(ステップＳ３０)。消費電力調整項算出部７２は、中間消費電力調整項Ｇ１（ｑ）が直前消費電力調整項Ｇ２（ｑ−１）より小さい場合（ステップＳ３０；Ｙｅｓ）、直前消費電力調整項Ｇ２（ｑ−１）と所定の値Ｂとに基づき、消費電力調整項Ｇ２（ｑ）を算出する(ステップＳ３２)。また、消費電力調整項算出部７２は、中間消費電力調整項Ｇ１（ｑ）が直前消費電力調整項Ｇ２（ｑ−１）より小さい値でない場合（ステップＳ３０；Ｎｏ）、すなわち中間消費電力調整項Ｇ１（ｑ）が直前消費電力調整項Ｇ２（ｑ−１）以上の値である場合、直前消費電力調整項Ｇ２（ｑ−１）を消費電力調整項Ｇ２（ｑ）とする（ステップＳ３４）。このステップＳ３２又はステップＳ３４の処理により、消費電力調整項Ｇ２（ｑ）の算出フローは終了する。
【００９６】
以上説明したように、制御部２０は、表示フレーム毎に画像を表示する画像表示パネル４０に対し、画素４８への画素信号値に基づき、Ｙ方向に沿って１行毎に（画素行毎に）各画素４８への出力信号値を算出する。そして、制御部２０は、ライン積算部２４と、フレーム積算部２５と、消費電力調整項決定部２８と、出力信号生成部２９とを有する。ライン積算部２４は、１行に配列する複数の画素４８であるライン画素群４６中の各画素４８に対する画素信号値を合計して、ライン積算値Ｌ（ｑ）を算出する。フレーム積算部２５は、前配列画素群４７の各画素４８に対する出力信号値を合計して、フレーム積算値Ｍ（ｑ）を算出する。消費電力調整項決定部２８は、表示フレームにおける消費電力に対する所定の閾値であるフレーム閾値Ａと、ライン積算値Ｌ（ｑ）と、フレーム積算値Ｍ（ｑ）と、に基づき、ライン画素群４６中の各画素に共通する消費電力調整項Ｇ２（ｑ）を算出する。出力信号生成部２９は、ライン画素群４６中の画素４８（ｐ、ｑ）への画素信号値と、消費電力調整項Ｇ２（ｑ）とに基づき、画素４８（ｐ、ｑ）に対する出力信号値を算出する。
【００９７】
（本処理による表示の例）
自発光型の画素は、一般的に、出力信号値（画素の輝度）と点灯による消費電力量とは比例する。従って、自発光型の画素においては、出力信号値を低減することにより、消費電力を削減することが可能になる。これから表示する表示フレームにおける出力信号値を低減させる際には、前に表示した表示フレームの消費電力量や出力信号値に基づいて、出力信号値の低減量を決定する場合がある。しかし、このような場合、前の表示フレームとこれから表示する表示フレームとの画像の差異が大きい場合、適切に出力信号値の低減量を定められない場合がある。例えば、ある表示フレームの画像の輝度が小さく、出力信号値が小さいと、消費電力量が小さいため、その表示フレームにおいては出力信号値を低減させない場合がある。ここで、その次の表示フレームにおいては表示させる画像の輝度が大きい場合、消費電力削減のために出力信号値を低減させる必要があっても、前の表示フレームでは出力信号値を低減していないため、前の表示フレームの低減量に基づいても適切に出力信号値を削減させることができないおそれがある。また、逆に、ある表示フレームにおける出力信号値の低減量が大きく、その次の表示フレームでは出力信号値の低減が必要でない場合においても、その表示フレームにおいて出力信号値を必要以上に低減させてしまい、画像が暗くなりすぎるなど、画質が劣化するおそれがある。また、前に表示した表示フレームの低減量に基づく場合、前の表示フレームにおける出力信号値を全て記憶しておく必要があり、装置の規模が大きくなる可能性もある。
【００９８】
一方、本実施形態に係る制御部２０（制御装置）は、前の表示フレームにおける出力信号値の低減量に基づかず、自身の表示フレームのデータを参照して、出力信号値を決定する。具体的には、制御部２０は、１ライン（１画素行）毎に出力信号値を決定するものであって、フレーム閾値Ａと、フレーム積算値Ｍ（ｑ）と、ライン積算値Ｌ（ｑ）と、に基づき、消費電力調整項Ｇ２（ｑ）を算出し、消費電力調整項Ｇ２（ｑ）に基づき、出力信号値を算出する。ここで、消費電力調整項Ｇ２（ｑ）は、画素４８の画素信号値を調整することによって画素４８の消費電力量を調整する係数である。そして、フレーム閾値Ａは、１表示フレーム中の消費電力の閾値である。また、フレーム積算値Ｍ（ｑ）は、同じ表示フレーム内における今までの出力信号値の合計であり、言い換えれば、同じ表示フレーム内における今までの消費電力量の合計値である。また、ライン積算値Ｌ（ｑ）は、これから出力信号値を決定する画素行（ライン画素群４６）の画素信号値の合計値であり、その画素行において消費電力調整項Ｇ２（ｑ）により調整を行わなかった場合の消費電力量であるということができる。すなわち、制御部２０は、１表示フレームにおける消費電力量の閾値と、同じ表示フレーム内における今までの消費電力量の合計と、これから出力信号値を算出する画素行の調整を行わなかった場合における消費電力量と、に基づき、出力信号値を算出する。このように、制御部２０は、前の表示フレームの各出力信号値の低減量に基づかず、自身のフレームにおける各種情報を参照して出力信号を算出するため、画質の劣化を抑制しつつ、適切に消費電力を削減することが可能となる。
【００９９】
次に、第１実施形態に係る制御部２０による処理を行った場合の出力信号値の算出例について説明する。図１３は、画素行毎のライン合計出力信号値を示すグラフである。図１４は、画素行毎のフレーム積算値を示すグラフである。図１３の横軸は、各画素行の行番号を示している。図１３の縦軸の左側は、１つの画素行における各副画素４９の出力信号値の合計である、ライン合計出力信号値を示している。図１３の縦軸の右側は、各画素行における消費電力調整項の値を示している。図１３の線分ＬＧは、図１３の縦軸の右側に対応する線分であり、各画素行における消費電力調整値を示している。図１３の線分Ｌ１は、図１３の縦軸の左側に対応する線分であり、画素信号値に対して何も処理を行わず、画素信号値をそのまま出力信号値として出力した場合における各画素行のライン合計出力信号値を示している。また、図１３の線分Ｌ２は、図１３の縦軸の左側に対応する線分であり、制御部２０による処理を行った場合における各画素行のライン合計出力信号値を示している。また、図１３の線分Ｌ２Ｘは、図１３の縦軸の左側に対応する線分であり、後述する比較例に係る制御部２０Ｘによる処理を行った場合における各画素行のライン合計出力信号値を示している。
【０１００】
自発光型の画素は、消費電力量が高くなりすぎると、寿命が短くなったりするなどの影響があるため、１表示フレーム毎の消費電力量の上限を定める場合がある。比較例に係る制御部２０Ｘは、消費電力量の上限までは、画素信号値に対して何も処理を行わず、画素信号値をそのまま出力信号値とするものである。ただし、比較例に係る制御部２０Ｘは、１表示フレームの積算の消費電力量、すなわちフレーム積算値が消費電力量の上限に達した時点で、その後の画素行の画素４８については、出力信号値を０とし、それ以上電力を消費させない処理を行う。すなわち、図１３の例では、比較例の制御部２０Ｘは、線分Ｌ２Ｘに示すように、第１行から第Ｑ１行までは、フレーム積算値が消費電力量の上限に達していないため、ライン合計出力信号値が線分Ｌ１と同じである。しかし、第Ｑ１行以降においては、フレーム積算値が消費電力量の上限に達したため、ライン合計出力信号値がゼロとなっている。ライン合計出力信号値がゼロとなっているということは、出力信号値がゼロとなり、第Ｑ１行以降は黒表示となる。このように、図１３の例では、比較例に係る制御部２０Ｘは、画素行毎の出力信号値の差が大きくなるおそれがある。
【０１０１】
一方、第１実施形態に係る制御部２０は、線分ＬＧに示すような消費電力調整項を用いて、最初の行から出力信号値を調整している。そのため、図１３の例では、第１実施形態に係る制御部２０は、線分Ｌ２に示すように、第Ｑ１行以降で出力信号値がゼロとなることはなく、第Ｑ１行以降が黒表示となることはない。このように、図１３の例では、制御部２０は、画素行毎の出力信号値の差が大きくなることを抑制する。
【０１０２】
図１４は、図１３のライン合計出力信号値を積算したグラフである。図１４の横軸は、各画素行の行番号を示している。図１４の縦軸は、その画素行までのフレーム積算値、すなわちライン合計出力信号値の積算値を示している。図１４の線分ＬＡは、フレーム閾値Ａを示している。図１４の線分Ｌ３は、図１３の線分Ｌ１に対応しており、画素信号値に対して何も処理を行わず、画素信号値をそのまま出力信号値として出力した場合における各画素行のフレーム積算値を示している。図１４の線分Ｌ４は、図１３の線分Ｌ２に対応しており、制御部２０による処理を行った場合における各画素行のフレーム積算値を示している。また、図１４の線分Ｌ４Ｘは、図１３の線分Ｌ２Ｘに対応しており、比較例に係る制御部２０Ｘによる処理を行った場合における各画素行のフレーム積算値を示している。
【０１０３】
図１４の例に示すように、比較例に係る制御部２０Ｘは、第Ｑ１行でフレーム積算値がフレーム閾値Ａに達しており、その後の出力信号値がゼロのため、フレーム積算値はフレーム閾値Ａのままになっている。一方、図１４の例における第１実施形態に係る制御部２０は、最初の行から出力信号値を調整しているため、第Ｑ１行以降においても出力信号値がゼロではないため、フレーム積算値の上昇率の変化が、比較例に係る制御部２０Ｘよりも小さい。
【０１０４】
図１５は、比較例に係る画像の表示の一例を示している。図１６は、第１実施形態に係る画像の表示の一例を示している。図１５は、図１３及び図１４の例において、比較例に係る制御部２０Ｘが表示する画像の例を示している。図１６は、図１３及び図１４の例において、第１実施形態に係る制御部２０が表示する画像の例を示している。図１５に示すように、比較例にかかる画像表示パネル４０Ｘの表示部４１Ｘは、画像４２ＸＡと画像４２ＸＢとを表示する。画像４２ＸＡは、第１行から第Ｑ１行までの画素行が表示する画像であり、画像４２ＸＢは、第Ｑ１行以降の画素行が表示する画像である。画像４２ＸＡは、画素信号値をそのまま出力信号値として画像を表示しているが、画像４２ＸＢは、出力信号値がゼロである。従って、画像４２ＸＢが黒表示となり、画像４２ＸＡと画像４２ＸＢとの画像の輝度差が大きくなる。従って、図１３から図１５で説明した例において、比較例に係る制御部２０Ｘは、消費電力を抑制した場合に、１フレーム中で表示画像の輝度差が大きくなるおそれがあり、画質の劣化が視認されやすくなるおそれがある。
【０１０５】
一方、図１６に示すように、第１実施形態にかかる画像表示パネル４０の表示部４１は、画像４２Ａと画像４２Ｂとを表示する。画像４２Ａは、第１行から第Ｑ１行までの画素行が表示する画像であり、画像４２Ｂは、第Ｑ１行以降の画素行が表示する画像である。図１６の例では、第Ｑ１行以降においても出力信号値がゼロとならないため、画像４２Ａと画像４２Ｂとの輝度差が大きくなることが抑制されている。このように、第１実施形態に係る制御部２０は、消費電力を抑制しつつ、１フレーム中で表示画像の輝度差が大きくなることを抑制することができる。
【０１０６】
また、さらに詳しくは、本実施形態に係る消費電力調整項決定部２８は、中間消費電力調整項算出部７０を有する。中間消費電力調整項算出部７０は、消費電力調整項Ｇ２（ｑ）を算出するための中間消費電力調整項Ｇ１（ｑ）を算出する。中間消費電力調整項算出部７０は、フレーム閾値Ａからフレーム積算値Ｍ（ｑ）を差し引いた差分値Ｕ（ｑ）を算出し、ライン積算値Ｌ（ｑ）と中間消費電力調整項Ｇ１（ｑ）との積の値が、差分値Ｕ（ｑ）を超えないように、中間消費電力調整項Ｇ１（ｑ）を算出する。ここで、差分値Ｕ（ｑ）は、ライン画素群４６が消費できる消費電力量（出力信号値の大きさ）の余裕代であるということができる。また、上述のように、ライン積算値Ｌ（ｑ）は、ライン画素群４６において消費電力調整項Ｇ２（ｑ）により調整を行わなかった場合の消費電力量であるということができる。制御部２０は、中間消費電力調整項Ｇ１（ｑ）とライン積算値Ｌ（ｑ）との積の値を、余裕代である差分値Ｕ（ｑ）を超えないようにしている。従って、制御部２０は、画素行毎の消費電力量が、余裕代を超えてしまうことを抑制することができる。そのため、制御部２０は、より適切に、消費電力を抑制しつつ、画像の劣化を抑制することができる。
【０１０７】
また、中間消費電力調整項算出部７０は、ライン画素群４６と前配列画素群４７とのＹ方向に沿った行数の合計（例えばｑ個）を算出し、ライン積算値Ｌ（ｑ）と中間消費電力調整項Ｇ１（ｑ）との積の値が、差分値Ｕ（ｑ）を行数の合計（例えばｑ個）で割った値を超えないように、中間消費電力調整項Ｇ１（ｑ）を算出する。差分値Ｕ（ｑ）を行数の合計（例えばｑ個）で割った値は、１画素行毎の消費電力の余裕代であるということができる。この制御部２０は、中間消費電力調整項Ｇ１（ｑ）とライン積算値Ｌ（ｑ）との積の値が、１画素行毎の消費電力の余裕代を超えないようにしている。従って、この場合、制御部２０は、画素行毎の出力信号値（輝度）のばらつきを抑制することができる。そのため、制御部２０は、消費電力を抑制しつつ、より適切に画像の劣化を抑制することができる。
【０１０８】
また、本実施形態に係る消費電力調整項決定部２８は、消費電力調整項算出部７２を更に有する。消費電力調整項算出部７２は、直前に出力信号値を算出したライン画素群４６における消費電力調整項である直前消費電力調整項Ｇ２（ｑ−１）と、中間消費電力調整項Ｇ１（ｑ）とを比較することにより、消費電力調整項Ｇ２（ｑ）を算出する。この消費電力調整項算出部７２は、直前消費電力調整項Ｇ２（ｑ−１）と、中間消費電力調整項Ｇ１（ｑ）とを比較することにより、消費電力調整項Ｇ２（ｑ）を算出するため、画素行毎の出力信号値（輝度）のばらつきを抑制することができる。そのため、制御部２０は、消費電力を抑制しつつ、より適切に画像の劣化を抑制することができる。
【０１０９】
また、消費電力調整項算出部７２は、中間消費電力調整項Ｇ１（ｑ）が直前消費電力調整項Ｇ２（ｑ−１）よりも小さい場合、直前消費電力調整項Ｇ２（ｑ−１）から所定の値Ｂを差し引いた値を、消費電力調整項Ｇ２（ｑ）とする。消費電力調整項算出部７２は、消費電力調整項Ｇ２（ｑ）の値を、直前消費電力調整項Ｇ２（ｑ−１）から決められた値ずつ小さくすることができるため、画素行毎の出力信号値（輝度）のばらつきを好適に抑制することができる。
【０１１０】
また、所定の値Ｂは、表示フレームにおける全画素４８のＹ方向に沿った行数の合計（ここではＱ０行）に基づき設定される。所定の値Ｂが、行数の合計に基づき設定されるため、消費電力調整項算出部７２は、消費電力調整項Ｇ２（ｑ）の値を、行数の合計に基づき、より均一に小さくしていくことが可能となる。従って、消費電力調整項算出部７２は、画素行毎の出力信号値（輝度）のばらつきを好適に抑制することができる。
【０１１１】
また、消費電力調整項算出部７２は、中間消費電力調整項Ｇ１（ｑ）が直前消費電力調整項Ｇ２（ｑ−１）以上の値である場合、消費電力調整項Ｇ２（ｑ）を、直前消費電力調整項Ｇ２（ｑ−１）と同じ値にする。消費電力調整項算出部７２は、消費電力調整項Ｇ２（ｑ）が直前消費電力調整項Ｇ２（ｑ−１）よりも大きくなることを抑制するため、消費電力調整項算出部７２は、画素行毎の出力信号値（輝度）のばらつきを好適に抑制することができる。
【０１１２】
なお、上述のように、消費電力調整項Ｇ２（ｑ）の算出方法は、直前消費電力調整項Ｇ２（ｑ−１）と、中間消費電力調整項Ｇ１（ｑ）との比較によるものに限られず、例えば、中間消費電力調整項Ｇ１（ｑ）をそのまま消費電力調整項Ｇ２（ｑ）としてもよい。
【０１１３】
また、出力信号生成部２９は、ライン画素群４６中の自身の画素４８（例えば画素４８（ｐ、ｑ））への画素信号値と、消費電力調整項Ｇ２（ｑ）との積の値に基づき、ライン画素群４６の各画素４８（例えば画素４８（ｐ、ｑ））に対する出力信号値を算出する。この出力信号生成部２９は、画素信号値と消費電力調整項Ｇ２（ｑ）との積の値に基づき、出力信号値を算出するため、適切に出力信号値を調整して、消費電力を削減することができる。
【０１１４】
（第２実施形態）
次に、第２実施形態について説明する。第２実施形態に係る表示装置１０ａは、画素４８ａが、第４副画素４９Ｗを有さない点で、第１実施形態とは異なる。第２実施形態において第１実施形態と共通する箇所の説明は、省略する。
【０１１５】
図１７は、第２実施形態に係る画素の副画素配列を示す図である。図１７に示すように、第２実施形態における画素４８ａは、第１副画素４９Ｒ、第２副画素４９Ｇ、及び第３副画素４９Ｂが、１方向にストライプ状に配列している。画素４８ａは、第４副画素４９Ｗを有さない。
【０１１６】
第２実施形態における制御部２０は、第４副画素４９Ｗを有さないため、伸長処理を行う画素信号値算出部２１を有さない。第２実施形態における制御部２０は、第１副画素４９Ｒの入力信号値ｘ１−（ｐ、ｑ）、第２副画素４９Ｇの入力信号値ｘ２−（ｐ、ｑ）、及び第３副画素４９Ｂの入力信号値ｘ３−（ｐ、ｑ）を、そのまま第１副画素４９Ｒの画素信号値Ｘ１−（ｐ、ｑ）、第２副画素４９Ｇの画素信号値Ｘ２−（ｐ、ｑ）、及び第３副画素４９Ｂの画素信号値Ｘ３−（ｐ、ｑ）とする。その後の制御部２０の処理は、第１実施形態と同様である。
【０１１７】
第２実施形態で説明したように、制御部２０は、第４副画素４９Ｗを有さない場合においても、前の表示フレームの各出力信号値の低減量に基づかず、自身のフレームにおける各種情報を参照して出力信号値を算出するため、画質の劣化を抑制しつつ、適切に消費電力を削減することが可能となる。
【０１１８】
（適用例）
次に、図１８及び図１９を参照して、第１実施形態で説明した表示装置１０の適用例について説明する。図１８及び図１９は、第１実施形態に係る表示装置を適用する電子機器の一例を示す図である。第１実施形態に係る表示装置１０は、図１８に示すカーナビゲーションシステム、テレビジョン装置、デジタルカメラ、ノート型パーソナルコンピュータ、図１９に示す携帯電話等の携帯端末装置あるいはビデオカメラなどのあらゆる分野の電子機器に適用することが可能である。言い換えると、第１実施形態に係る表示装置１０は、外部から入力された映像信号あるいは内部で生成した映像信号を、画像あるいは映像として表示するあらゆる分野の電子機器に適用することが可能である。電子機器は、表示装置に映像信号（入力信号）を供給し、表示装置の動作を制御する入力信号出力部１００（図１参照）を備える。なお、本適用例は、第１実施形態に係る表示装置１０以外でも、以上説明した他の実施形態及び変形例に係る表示装置にも適用できる。
【０１１９】
図１８に示す電子機器は、第１実施形態に係る表示装置１０が適用されるカーナビゲーション装置である。表示装置１０は、自動車の車内のダッシュボード３００に設置される。具体的にはダッシュボード３００の運転席３１１と助手席３１２の間に設置される。カーナビゲーション装置の表示装置１０は、ナビゲーション表示、音楽操作画面の表示、又は、映画再生表示等に利用される。
【０１２０】
図１９に示す電子機器は、第１実施形態に係る表示装置１０が適用される携帯型コンピュータ、多機能な携帯電話、音声通話可能な携帯コンピュータまたは通信可能な携帯コンピュータとして動作し、いわゆるスマートフォン、タブレット端末と呼ばれることもある、情報携帯端末である。この情報携帯端末は、例えば筐体５６２の表面に表示部５６１を有している。この表示部５６１は、第１実施形態に係る表示装置１０と外部近接物体を検出可能なタッチ検出（いわゆるタッチパネル）機能とを備えている。
【０１２１】
本開示は、次のような構成を採用することができる。
【０１２２】
（１）自発光体の点灯量に応じて所定の色を表示する画素が行方向及び列方向に二次元マトリクス状に配置され、表示フレーム毎に画像を表示する画像表示パネルに対し、前記画素に所定の色を表示させるための画素信号値に基づき、前記列方向に沿って１行毎に前記各画素への出力信号値を算出する制御装置であって、
前記行方向に沿った１行に配列する複数の画素であるライン画素群中の各画素に対する前記画素信号値を合計して、ライン積算値を算出するライン積算部と、
複数の画素であって、前記ライン画素群以外の行に配列され、同じ表示フレームにおいて既に前記出力信号値を算出した画素の集合体である前配列画素群の、各画素に対する前記出力信号値を合計して、フレーム積算値を算出するフレーム積算部と、
前記表示フレームにおける消費電力に対する所定の閾値であるフレーム閾値と、前記ライン積算値と、前記フレーム積算値と、に基づき、前記ライン画素群中の各画素に共通する消費電力調整項を算出する消費電力調整項決定部と、
前記ライン画素群中の自身の画素への画素信号値と、前記消費電力調整項とに基づき、前記ライン画素群の各画素に対する出力信号値を算出する出力信号生成部と、を有する、制御装置。
【０１２３】
（２）前記消費電力調整項決定部は、前記消費電力調整項を算出するための中間消費電力調整項を算出する中間消費電力調整項算出部を有し、
前記中間消費電力調整項算出部は、前記フレーム閾値から前記フレーム積算値を差し引いた差分値を算出し、前記ライン積算値と前記中間消費電力調整項との積の値が、前記差分値を超えないように、前記中間消費電力調整項を算出する、前記制御装置。
【０１２４】
（３）前記中間消費電力調整項算出部は、前記ライン画素群と前記前配列画素群との前記列方向に沿った行数の合計を算出し、前記ライン積算値と前記中間消費電力調整項との積の値が、前記差分値を前記行数の合計で割った値を超えないように、前記中間消費電力調整項を算出する、前記制御装置。
【０１２５】
（４）前記消費電力調整項決定部は、直前に出力信号値を算出したライン画素群における消費電力調整項である直前消費電力調整項と、前記中間消費電力調整項とを比較することにより、前記消費電力調整項を算出する消費電力調整項算出部を有する、前記制御装置。
【０１２６】
（５）前記消費電力調整項算出部は、前記中間消費電力調整項が前記直前消費電力調整項よりも小さい場合、前記直前消費電力調整項から所定の値を差し引いた値を、前記消費電力調整項とする、前記制御装置。
【０１２７】
（６）前記所定の値は、前記表示フレームにおける全画素の前記列方向に沿った行数の合計に基づき設定される、前記制御装置。
【０１２８】
（７）前記消費電力調整項算出部は、前記中間消費電力調整項が前記直前消費電力調整項以上の値である場合、前記消費電力調整項を、前記直前消費電力調整項と同じ値にする、前記制御装置。
【０１２９】
（８）前記出力信号生成部は、前記ライン画素群中の自身の画素への画素信号値と、前記消費電力調整項との積の値に基づき、前記ライン画素群の各画素に対する出力信号値を算出する、前記制御装置。
【０１３０】
（９）前記画素は、第１の色を表示する第１副画素と、第２の色を表示する第２副画素と、第３の色を表示する第３副画素と、第４の色を表示する第４副画素と、を有しており、
さらに、前記第１副画素、前記第２副画素、及び前記第３副画素の入力信号値に基づいて、前記第１副画素の画素信号値、前記第２副画素の画素信号値、前記第３副画素の画素信号値、前記第４副画素の画素信号値を算出する画素信号算出部を有し、
前記画素信号算出部は、
各画素の前記第４副画素の画素信号値を、前記第１副画素の入力信号値、前記第２副画素の入力信号値、及び前記第３副画素の入力信号値に基づいて求め、
各画素の前記第１副画素の画素信号値を、前記第１副画素の入力信号値、及び前記第４副画素の画素信号値に基づいて求め、
各画素の前記第２副画素の画素信号値を、前記第２副画素の入力信号値、及び前記第４副画素の画素信号値に基づいて求め、
各画素の前記第３副画素の画素信号値を、前記第３副画素の入力信号値、及び前記第４副画素の画素信号値に基づいて求める、前記制御装置。
【０１３１】
（１０）
自発光体の点灯量に応じて所定の色を表示する画素が行方向及び列方向に二次元マトリクス状に配置され、表示フレーム毎に画像を表示する画像表示パネルと、
前記画素に所定の色を表示させるための画素信号値に基づき、前記列方向に沿って１行毎に前記各画素への出力信号値を算出する制御部と、を有し、
前記制御部は、
前記行方向に沿った１行に配列する複数の画素であるライン画素群中の各画素に対する前記画素信号値を合計して、ライン積算値を算出するライン積算部と、
複数の画素であって、前記ライン画素群以外の行に配列され、同じ表示フレームにおいて既に前記出力信号値を算出した画素の集合体である前配列画素群の、各画素に対する前記出力信号値を合計して、フレーム積算値を算出するフレーム積算部と、
前記表示フレームにおける消費電力に対する所定の閾値であるフレーム閾値と、前記ライン積算値と、前記フレーム積算値と、に基づき、前記ライン画素群中の各画素に共通する消費電力調整項を算出する消費電力調整項決定部と、
前記ライン画素群中の自身の画素への画素信号値と、前記消費電力調整項とに基づき、前記ライン画素群の各画素に対する出力信号値を算出する出力信号生成部と、を有する、表示装置。
【０１３２】
以上、本発明の実施形態を説明したが、これらの実施形態の内容によりこれらの実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【０１３３】
１０  表示装置
２０  制御部（制御装置）
２１  画素信号値算出部
２２  ラインバッファ部
２４  ライン積算部
２５  フレーム積算部
２６  フレーム閾値取得部
２８  消費電力調整項決定部
２９  出力信号生成部
３０  画像表示パネル駆動部
４０  画像表示パネル
４６  ライン画素群
４７  前配列画素群
４８  画素
４９Ｒ  第１副画素
４９Ｇ  第２副画素
４９Ｂ  第３副画素
４９Ｗ  第４副画素
Ｇ１（ｑ）  中間消費電力調整項
Ｇ２（ｑ）  消費電力調整項
Ｌ（ｑ）  ライン積算値
Ｍ（ｑ）  フレーム積算値
【図１】
2017076007.tif 000005
【図２】
2017076007.tif 000006
【図３】
2017076007.tif 000007
【図４】
2017076007.tif 000008
【図５】
2017076007.tif 000009
【図６】
2017076007.tif 000010
【図７】
2017076007.tif 000011
【図８】
2017076007.tif 000012
【図９】
2017076007.tif 000013
【図１０】
2017076007.tif 000014
【図１１】
2017076007.tif 000015
【図１２】
2017076007.tif 000016
【図１３】
2017076007.tif 000017
【図１４】
2017076007.tif 000018
【図１５】
2017076007.tif 000019
【図１６】
2017076007.tif 000020
【図１７】
2017076007.tif 000021
【図１８】
2017076007.tif 000022
【図１９】
2017076007.tif 000023